(57)【要約】  【目的】  ワイヤに固定される他物が予めワイヤチャックに固定されている状態でも１人の作業者が容易に、かつ短時間でワイヤチャックの正確な位置調整を行えるようにした抜き通し型ワイヤチャックを提供することを目的とする。  【構成】  ボディ２の異径孔３のくさび作用を利用してワイヤ７を挟持する係止部材５を保持するスリーブ４を、ボディ２から異径孔３の大径部１１側の外側に延長し、その先端につまみ１７を設ける。ボディ２を天板２２に取付けた後、ボディ２とスリーブ４に挿通したワイヤ７を一方の手で緊張させながら、天板２２を支えている他方の手の指でつまみ１７を引下げてチャック機能を解除し、天板２２を支えながらその位置を下方修正できる。  【選択図】  図１
2005118084.tif 000002
【特許請求の範囲】
【請求項１】
中心軸心に沿って貫通する異径孔を有するボディと、前記異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングとを備え、前記スリーブの一端が前記ボディの異径孔の大径部側で該ボディ外まで延出され、このボディ外に延出された前記スリーブの一端の外周につまみが設けられることを特徴とする抜き通し型ワイヤチャック。
【請求項２】
つまみとボディとの間に所定の隙間が形成されている請求項１に記載の抜き通し型ワイヤチャック。
【請求項３】
つまみの外周面には滑り止め加工がされている請求項１又は２に記載の抜き通し型ワイヤチャック。
【請求項４】
つまみに外嵌して固定されると共にスリーブに挿通されたワイヤが挿通され、ワイヤチャックにより当該ワイヤをチャックした後、前記つまみに固定してから該ワイヤに加締付けられる鞘体を備える請求項１ないし３のいずれか１項に記載の抜き通し型ワイヤチャック。
【請求項５】
つまみの滑り止め加工がネジ加工であり、鞘体が当該つまみに外嵌される弾性筒体と、この弾性筒体の他端に固定された塑性変形可能なチューブとを備え、当該ワイヤチャックによりワイヤをチャックした後、前記チューブがワイヤに加締付けられる請求項４に記載の抜き通し型ワイヤチャック。
【請求項６】
弾性筒体が細線を螺旋巻回したコイルからなる請求項４に記載の抜き通し型ワイヤチャック。
【請求項７】
ボディに螺合され、スリーブを介して係止部材を異径部及びワイヤに締付ける袋ナット又はボルトが設けられている請求項１ないし３のいずれか１項に記載の抜き通し型ワイヤチャック。
【請求項８】
中心軸心に沿って貫通する異径孔を有するボディと、前記異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングと、前記スリーブに少なくとも一部分が前記ボディの前記異径孔の大径部側で該ボディ外に突出するように外嵌して固定されると共に、前記スリーブに挿通されたワイヤが挿通され、かつ前記ボディ、スリーブ、係止部材及びスプリングによりワイヤを所定の位置でチャックした後、前記ボディから所定の距離以上離れた位置で前記ワイヤに加締付けられる鞘体を備えることを特徴とする抜き通し型ワイヤチャック。
【請求項９】
スリーブの一端がボディの異径孔の大径部側で当該ボディ外まで延出され、このボディ外に延出された前記スリーブの一端の外周につまみが設けられ、このつまみに鞘体の一端部が脱着可能に外嵌して固定されている請求項８に記載の抜き通し型ワイヤチャック。
【発明の詳細な説明】
【技術分野】
【０００１】
本発明は、例えば天井板、屋内外での看板、屋内外での広告板、垂れ幕、スクリーン、屋内外での案内板、屋内外での掲示板、フック、蛍光灯などの灯具、吊下式黒板、室内の各種装飾品又は陳列用品等の物品を吊下げて確実に支持するためのワイヤチャックに関し、特にワイヤがワイヤチャック内を抜き通し（進退）できる上、ワイヤの滑りや抜け外れのない安全性が極めて高い抜き通し型ワイヤチャックに関する。
【背景技術】
【０００２】
中心軸心に沿って貫通する異径孔を有するボディと、前記異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングとを備え、前記異径孔の小径部側に前記スリーブの一端が前記ボディ外まで延出され、このボディ外に延出された前記スリーブの一端の外周につまみ（ストッパ部材）が設けられている吊垂金具が、次掲の特許文献１に記載されている。
【０００３】
【特許文献１】実公平４−４７４５４号公報
【０００４】
又、この特許文献１には、位置調整後にスリーブに螺合したつまみを締め込んで、スリーブ及び係止部材をワイヤ及びボディに対して固定することにより、設置後の振動により、ワイヤに対するワイヤチャック及び他物が位置ずれしたり、ワイヤからワイヤチャック及び他物が脱落したりすることを防止する技術が記載されている。
【発明の開示】
【発明が解決しようとする課題】
【０００５】
この特許文献１に記載された従来技術では、ワイヤチャックを予めワイヤに固定する他物に連結した状態で、ワイヤに固定すべき位置を越えてワイヤが差込まれた場合に、１人で他物の位置を正確に、かつ短時間で下方に調整すること（下方調整）ができないことがある。
【０００６】
即ち、ワイヤのある高さにワイヤチャックで他物を支持させた状態から他物を落下させることなくその位置を下方に移動させるために、一方の手で他物を支持しながら他方の手でつまみ（ストッパ部材）を下方に押し下げてチャック機能が解除された状態を保持しなければならないことがあり、１人の作業者ではこの他にワイヤを緊張させるという作業ができず、ワイヤの緩みのために正確な下方調整をすることが困難である。
【０００７】
又、そのため、徒に下方調整と上方調整とを繰返すことになり、作業時間が長くなる一方、下方調整を正確に行うために、ワイヤを下から引っ張って緊張させるための他の作業者を使うと、労賃が高くなる。
【０００８】
そこで、本発明の請求項１に記載の発明（以下、本第１発明という。）においては、ワイヤに固定される他物が予めワイヤチャックに固定されている状態でも１人の作業者で容易にワイヤチャックの正確な位置調整が行えるようにした抜き通し型ワイヤチャックを提供することを目的とする。
【０００９】
ところで、この種のワイヤチャックには、係止部材をスプリングで押えているため、振動により係止部材が異径孔の内径が大きくなる方向に移動し、ワイヤへの固定が緩んだり、解除されたりして固定位置がずれることや、最悪の場合にはワイヤから脱落することがあるという致命的な課題がある。
【００１０】
前記特許文献１では、スリーブに螺合したつまみ（ストッパ部材）を螺締することにより、ボディに対して係止部材及びスリーブを固定することによりこの課題を解決しているが、この従来技術の構成では、ワイヤからワイヤチャックを抜取るために、つまみ（ストッパ部材）をネジ戻す必要があり、手間と時間がかかる。このため、地震被害などによりワイヤチャックに支持された他物を交換する際には、作業時間を短縮するために、ワイヤをボディ及びスリーブよりも上側で切断して、他物と共に、ワイヤチャックとワイヤとが廃却されている。特に、ワイヤチャックよりも上側で切断されたワイヤは長さが不足するので再利用できないという問題がある。
【００１１】
そこで、本発明の請求項８に記載の発明（以下。本第２発明という。）は、振動によりワイヤチャックの固定位置がずれたり、ワイヤチャックがワイヤから脱落したりすることを確実に防止できる上、ワイヤの再利用が可能になるようにした抜き通し型ワイヤチャックを提供することを目的とする。
【課題を解決するための手段】
【００１２】
本第１発明は、前記目的を達成するため、中心軸心に沿って貫通する異径孔を有するボディと、前記異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングとを備え、前記スリーブの一端が前記ボディの異径孔の大径部側で該ボディ外まで延出され、このボディ外に延出された前記スリーブの一端の外周につまみが設けられることを特徴とする、との技術的手段を採用する。
【００１３】
即ち、本第１発明によれば、予め前記異径孔の大径部が下になるように他物を連結しておけば、片手で他物及びワイヤチャックの重量を支えながら、その片手の指でつまみを引っ張ってワイヤチャックのチャック機能を解除することができるのであり、又、もう一方の手でワイヤを下に引っ張りながら他物及びワイヤチャックの高さを調整することができるので、予め他物が連結されているワイヤチャックを固定する位置を１人の作業者で正確に、かつ容易に調整することができる結果、工期を短縮できるのである。
【００１４】
又、従来のスリーブの形状を変更するだけの簡単な構成で、コストアップすることなく廉価に製造できるのである。
【００１５】
次に、本第１発明の抜き通し型ワイヤチャックについて更に詳細に説明すれば、以下の通りである。
【００１６】
本発明において、ボディは、通常、例えば天井、壁、柱、床などの建築物の構造部材、配管、配線、照明ランプなどの灯具、スピーカなどの音響機器、棚、ハンガーなどの種々の他物に固定したり、他物を吊持したりする連結構造を備える。
【００１７】
具体的には、例えば蛍光灯ランプの灯具をワイヤにより天井に吊下げるために灯具に固定されるボディとしては、外周にネジを形成した縦軸の脚と、その上端に連続する頭とを備える有頭ネジからなり、灯具の上板に形成した取付け孔に脚を上から挿通し、前記上板の下側に突出する脚に下側からナットを締め付けることにより前記上板に固定される構成を備えるものを用いる。
【００１８】
このボディに形成される異径孔は、円孔からなる大径部と円孔からなる小径部とこれら連結するテーパ孔からなる異径部とを備えていればよい。又、これら大径部と小径部とは互いに他方に対して偏心させてあってもよいが、ほとんどの場合には、ボディの軸心周りの方向性をなくすために、これら大径部と小径部とは同軸心状に配置されている。
【００１９】
前記異径部の軸心方向の長さや形状は、特に限定されるものではなく、具体的には、例えば前記係止部材がくさび形、球形などのくさび作用を発揮できる形状に形成されている場合には、この異径部で段付状に大径部と小径部とを形成してもよいのである。
【００２０】
又、前記大径部は、異径部の反対側で後述するスリーブ又はワイヤが進退可能に挿通されるバネ受座により閉塞され、このバネ受座に後述するスプリングの一端が受止められる。
【００２１】
もちろん、前記ボディの材質は特に限定されないが、一般には、鉄、鋼、銅、真鍮、青銅等の金属、熱硬化性合成樹脂、熱可塑性合成樹脂などの合成樹脂が用いられる。
【００２２】
前記スリーブは、前記異径孔の大径部ないし異径部にわたって進退可能に挿入される大径軸部又は前記異径孔の異径部に対応するテーパ軸部が設けられ、この大径軸部又はテーパ軸部の前記バネ受座に対向する面に前記スプリングの他端を受止めるバネ受面が形成されている。
【００２３】
又、前記スリーブは、前記大径軸部又は前記テーパ軸部の少なくとも一方、即ち、前記異径孔の大径部側でボディ外に延出される小径軸部、即ち、前記バネ受座に進退可能に挿通されてボディ外に突出する小径軸部を備える。前記大径軸部又はテーパ軸部の軸心とこの小径軸部の軸心は互いに他方に対して偏心させてもよいが、ほとんどの場合には、同軸心にする。
【００２４】
更に、前記スリーブには、当該スリーブを軸方向に貫通するワイヤ挿通孔が形成される。
なお、必要に応じて前記小径部に挿通されてボディ外に突出する別の小径軸部を設けてもよいのである。
【００２５】
前記係止部材としては、球体（ボール）の他に、中空軸を周方向に複数に分割した割軸形状のシューを採用することが可能であり、このシューには外周面が円錐面に形成されたものと円筒面に形成されたものとが含まれる。
【００２６】
前記スリーブに前記係止部材を当該スリーブの軸心と直交する方向に進退可能に支持する構造としては公知の構造が採用されるのであり、例えば前記係止部材が球体（ボール）で構成される場合には、前記テーパ軸部を有するスリーブを用い、このテーパ軸部にワイヤ挿通孔から該テーパ軸部の外周面に貫通する横孔を形成し、この横孔に係止部材を進退自在に挿入する構造が採用される。
【００２７】
前記スプリングは、前記ボディに設けたバネ受座に一端が受止められ、他端が前記スリーブのバネ受面に受止められるばねで構成すればよく、特に限定されないが、一般に多用されている前記スリーブの小径部が挿通されるコイルバネを用いればよい。
【００２８】
前記つまみは、前記スリーブのボディ外に延出された一端部の外周に設けられることから、少なくとも前記小径軸部よりも大径に形成される。
【００２９】
このつまみの形状は、軸方向から見たつまみの形状は特に限定されず、例えば円形、楕円形、小判形、４角形、６角形など任意の形状に形成してもよいのであり、又、軸方向に直角な方向から見たつまみの形状も特に限定されるものではなく、例えば長方形、円形、楕円形、小判形、４角形、６角形等、任意の形状に形成してもよいのである。
【００３０】
本第１発明においては、特に限定されないが、つまみを手指でつまんで引張り易くするために、本発明の請求項２に記載しているように、前記つまみと前記ボディとの間に所定の隙間が形成されていることが好ましい。
【００３１】
この隙間はつまみ全体にわたって一様な隙間であってもよく、又、角取り、Ｒ面取り、逆Ｒ面取りなどにより形成される中心側で狭くなる隙間であってもよいのである。
【００３２】
又、本第１発明においては、つまみをつまんだ指先からつまみが滑り抜けることを防止して操作性を良くするために、本発明の請求項３に記載しているように、前記つまみの外周面が滑り止め加工されていることが好ましい。
【００３３】
この滑り止め加工としては、ローレット加工、セレーション加工、ネジ加工などの転造加工、切削加工等、を採用すれば良いが、この他に樹脂コーティング、滑り止め塗装などを採用したり、ゴム、合成樹脂などを設ける方法などを採用したりすることも可能である。
【００３４】
ところで、本第１発明においては、係止部材をスプリングで押えているため、振動により係止部材が異径孔の内径が大きくなる方向に移動し、ワイヤへの固定が緩んだり、解除されたりして固定位置がずれることや、最悪の場合にはワイヤから脱落することがあるという課題が内在している。
【００３５】
そこで、本第１発明においては、この課題を解消するために、本発明の請求項４に記載しているように、前記つまみに外嵌して固定されると共に前記スリーブに挿通されたワイヤが挿通され、当該ワイヤチャックによりワイヤをチャックした後、当該ワイヤに加締付けられる鞘体を備え、ワイヤチャックの位置調整後、この鞘体を前記つまみに固定してからワイヤに加締付ける構成を採用することが好ましい。
【００３６】
この構成によれば、前記スリーブにつまみを介して固定される鞘体がワイヤに加締付けられることにより、前記スリーブ及び前記係止部材のワイヤに対する位置が一定に保持されるので、前記スリーブが振動してチャック機能が一時的に緩和ないし解除されることがあっても、振動が収まればボディ及び他物のワイヤに対する位置がボディ及び他物の重量とスプリングにより復元され、ワイヤチャック及び他物の固定位置がずれたり、ワイヤチャック及び他物がワイヤから脱落したりするおそれがなくなる。
【００３７】
又、このワイヤチャックを撤去する際には、この鞘体と共にワイヤを切断することにより、その切断位置から上方のワイヤを再利用することができる。このことは、地震被災地における復興工事など資材が不足勝ちになる場合には特に有用である。
【００３８】
この鞘体としては、例えばつまみ及びワイヤに圧着、熱圧着、接着などにより固定可能な合成樹脂で形成したり、鉄、鋼、銅、真鍮、アルミなどの加締めに適した金属で形成したりすることが好ましい。
【００３９】
又、鞘体を用いる前記の構成においては、本発明の請求項５に記載しているように、前記鞘体は、前記つまみに外嵌して固定される弾性筒体と、該弾性筒体に固定された塑性変形可能なチューブとを備え、当該ワイヤチャックによりワイヤをチャックした後、この鞘体をつまみに固定してから前記チューブをワイヤに加締付けることが好ましい。
【００４０】
この構成によれば、振動に伴いワイヤからスリーブに作用する衝撃や、その反作用としてワイヤに掛かる衝撃が弾性筒体により緩衝され、ワイヤの切断、ワイヤの延伸、他物の破損、他物の変形などを防止することができるからである。
【００４１】
この構成において、例えば本発明の請求項６に記載しているように、前記つまみの滑り止め加工がネジ加工であり、前記弾性筒体が細線を螺旋巻回したコイルからなることを特徴とする構成を採用すると、弾性筒体をネジ回してつまみに固定することができる上、撤去に際してワイヤを弾性筒体と共に切り離すことが容易になる。
【００４２】
本第１発明においては、この他に、本発明の請求項７に記載しているように、前記つまみ及びボディ外に突出したスリーブの部分を収容してボディに螺合される袋ナットを備え、ワイヤチャック及び他物の位置調整後に、余分なワイヤを切除し、前記袋ナットによりつまみ及びスリーブを介して前記係止部材が前記異径部及びワイヤに押圧される位置に固定されることを特徴とする構成を採用することによっても、設置後の地震などの振動によりワイヤチャック及び他物の位置ずれや、ワイヤからの脱落を防止することができる。
【００４３】
次いで、本第２発明は、前記目的を達成するために、中心軸心に沿って貫通する異径孔を有するボディと、前記異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングと、前記スリーブに少なくとも一部分が前記ボディの前記異径孔の大径部側で該ボディ外に突出するように外嵌して固定されると共に、前記スリーブに挿通されたワイヤが挿通され、かつ前記ボディ、スリーブ、係止部材及びスプリングによりワイヤを所定の位置でチャックした後、前記ボディから所定の距離以上離れた位置で前記ワイヤに加締付けられる鞘体を備えることを特徴とする、との技術的手段を採用する。
【００４４】
本第２発明によれば、前記スリーブに固定された鞘体がワイヤに加締付けられることにより、前記スリーブ及び係止部材のワイヤに対する位置が一定に保持されるので、前記スリーブが振動してチャック機能が一時的に緩和ないし解除されることがあっても、振動が収まればボディ及び他物のワイヤに対する位置がボディ及び他物の重量とスプリングにより復元され、ワイヤチャック及び他物の固定位置がずれたり、ワイヤチャック及び他物がワイヤから脱落したりするおそれがなくなる。
【００４５】
又、他物に固定されたこのワイヤチャックを撤去する際には、ボディにおける大径部側の外側、即ち、ボディの下側でワイヤを切断することにより、その切断位置から上方にワイヤチャックを元の位置に固定するために必要な長さのワイヤを残すことができるので、再利用することができる。このことは、地震被災地における復興工事など資材が不足勝ちになる場合には特に有用である。
【００４６】
本第２発明において、更に、前記スリーブの一端が前記ボディの異径孔の大径部側で当該ボディ外まで延出され、このボディ外に延出された前記スリーブの一端の外周につまみが設けられ、このつまみに前記鞘体の一端部が脱着可能に外嵌して固定されることを特徴とする構成を採用すれば、鞘体を外した状態で、予め他物に連結されているワイヤチャックをワイヤの所定の高さに固定する際に、１人の作業者が容易に、かつ正確に位置調整できるようになるので好ましい。
【発明の効果】
【００４７】
以上に説明したように、本第１発明によれば、予め前記異径孔の大径部が下になるように他物を連結しておけば、片手で他物及びワイヤチャックの重量を支えながら、その片手の指でつまみを引っ張ってワイヤチャックのチャック機能を解除することができる上、もう一方の手でワイヤを下に引っ張りながら他物及びワイヤチャックの高さを調整することができるので、予め他物が連結されているワイヤチャックを固定する位置を１人の作業者が容易に、かつ正確に調整することができたり、工期を短縮できる上、工事を廉価にできるなどの効果を得ることができる。
【００４８】
又、本第１発明に係る抜き通し型ワイヤチャックおいては、従来のスリーブの形状を変更するだけの簡単な構成で、コストアップすることなく安価に製造できる効果も得ることができる。
【００４９】
次に、本第２発明に係る抜き通し型ワイヤチャックおいては、スリーブに固定された鞘体がワイヤに加締付けられ、前記スリーブ及び係止部材のワイヤに対する位置が一定に保持されるので、地震などにより前記ボディに対して前記スリーブが振動し、チャック機能が一時的に緩和ないし解除されることがあっても、振動が収まればボディ及び他物のワイヤに対する位置がこれらの自重とスプリングとにより復元され、ワイヤチャック及び他物の固定位置がずれたり、ワイヤからワイヤチャック及びこれに連結された他物が脱落したりするおそれがなくなるなどの効果を得ることができる。
【発明を実施するための最良の形態】
【００５０】
以下、本発明を実施するための最良の形態を図面に基づいて詳細に且つ具体的に説明する。
【００５１】
図１は、本発明に係る抜き通し型ワイヤチャックの縦断面図であり、この図１に示すように、このワイヤチャック１は、ボディ２と、このボディ２の中心軸心に沿って貫通させた異径孔３に該異径孔３の軸心方向に進退可能に挿入されている中空軸状のスリーブ４と、前記スリーブ４に当該スリーブ４の軸心と直交する方向に移動可能に支持させた複数個の鋼球からなる係止部材５と、前記異径孔３内に配置され、前記スリーブ４を付勢して前記係止部材５を前記異径孔３の異径部６と前記スリーブ４に挿通されているワイヤ７とに押圧するスプリング８とを備えている。
【００５２】
前記ボディ２は、外周面にネジが形成された脚部９と、この脚部９の下端に連設され、当該脚部９よりも大径に形成された頭部１０とを備える有頭ボルトからなり、前記異径孔３は、上細りの前記異径部６と、これの下側に連続する大径部１１と、必要に応じて、前記異径部６の上側に連続する小径部１２とを備え、前記大径部１１の下端が、その中央部を除いてバネ受座１３により閉塞されている。なお、図示例では、小径部１２が外方に向かってラッパ状に拡大しているが、これに代えて、小径部１２の径が一定になるように直線状に形成しても良いのである。
【００５３】
前記スリーブ４は、上端部が前記異径部６に対応するテーパ軸になっている大径軸部１４と、該大径軸部１４の下端面から、前記バネ受座１３の中央に形成されたスリーブ挿通孔１５に進退可能に挿通され、前記ボディ２の外側まで延長された小径軸部１６とを備え、このボディ２の外に突出させた前記小径軸部１６の下端部に前記脚部９とほぼ同径に拡径されたつまみ１７が連設されている。
【００５４】
このつまみ１７の形状は、軸方向から見て異径部６、大径部１１及び小径部１２と同軸心の円筒形に形成され、又、手指でつかみ易くするために、つまみ１７とボディ２の頭部１０との間には適当な隙間が形成されている。
【００５５】
更に、前記スリーブ４にはその軸心に沿って貫通するワイヤ挿通孔１８が形成され、前記つまみ１７の外周面１９は滑り止め加工としてのネジ加工が施されている。
【００５６】
そして、前記大径軸部１４には前記ワイヤ挿通孔１８から外周面に貫通する複数のボール保持孔２０が形成され、この各ボール保持孔２０にそれぞれ１個の係止部材５が進退可能に、かつ回転自在に挿入されている。
【００５７】
なお、図示されていないが、平面視において、前記ボール保持孔２０は、ワイヤ７が前記ボディ２及びスリーブ４の中心軸心に挿通されるように、前記スリーブ４及び前記ワイヤ挿通孔１８の軸心を中心にして等角度置きに、例えば３箇所形成されている。
【００５８】
前記スプリング８は、前記大径部１１内に配置され、その一端が前記バネ受座１３に、他端が前記大径軸部１４と小径軸部１６とを繋ぐ段付面２１にそれぞれ受止められる１本のコイルバネからなる。なお、荷重条件によっては、スプリング８はコイルバネに代えて１枚又は複数枚の皿バネで構成してもよいのである。
【００５９】
ところで、例えば天井から吊下げる蛍光灯などの灯具の天板２２には前記ボディ２の脚部９が挿通される取付け孔２３が形成され、この取付け孔２３に下側から脚部９を挿通させ、平座金２４とバネ座金２５とを挟んで、脚部９の上側からナット２６を締付けることにより、前記ワイヤチャック１が前記天板２２に固定される。
なお、前記平座金２４とバネ座金２５とはその一方又は両方は省略してもよい。
【００６０】
この後、例えば天井の吊塚から懸垂させた前記ワイヤ７を前記小径部１２からワイヤ挿通孔１８に挿通する。前記灯具を片手で持ち、前記ワイヤ７の下端を前記係止部材５に当接させて当該係止部材５及び前記スリーブ４を下方に押し込むと、係止部材５が外側に押し退けられ、ワイヤ７の先端は簡単にワイヤ挿通孔１８の下方に通り抜ける。
【００６１】
ワイヤチャック１を通り抜けたワイヤ７の下端を片手で下方に引っ張って緊張させながら、灯具を所定の高さまで持上げて手放すと、ワイヤ７と異径部６とに当接している係止部材５がワイヤ７に連れてワイヤ７と異径部６との間に食い込み、係止部材５、スリーブ４、ボディ２及び天板２２がワイヤ７に対して位置決めされている。
【００６２】
ここで、天板２２の位置が予め設計された位置よりも低い場合には、ワイヤ７の下端を片手で下方に引っ張って緊張させながら、天板２２を所定の高さまで持ち上げた後に手放すという手順で天板２２の高さが上方調整される。
【００６３】
反対に、天板２２の位置が予め設計された位置よりも高い場合には、一方の手でワイヤ７を引張って緊張させながら、他方の手で天板２２の前記ワイヤチャック１の近くを支え、つまみ１７をこの他方の手の、例えば親指と人差し指の２本の指で挟んで下方に引っ張ることによりワイヤチャック１のチャック機能を解除し、このチャック機能を解除させた状態で天板２２を所定の高さまで下げてつまみ１７を手放すという簡単な手順で天板２２の高さが下方調整される。
【００６４】
ここで、つまみ１７を手放すと、ワイヤチャック１のチャック機能が即座に回復され、天板２２は手で支えられている高さでワイヤ７に固定されるから、すこぶる正確に、かつ確実に短時間で天板２２の高さ調整ができる。
【００６５】
なお、特に高精度の高さ調整が求められている場合には、前述のように、天板２２の高さ調整を行った後、前記ナット２４の締め加減を調整することにより天板２２の高さを、例えばバネ座金２５の変形範囲内で、微調整することが可能となるのである。
【００６６】
ところで、前述のようにして天板２２の高さを調整した後、必要に応じて、前記つまみ１７に鞘体２７が外嵌して固定されている。
【００６７】
もっとも、この鞘体２７は、予め、つまみ１７に外嵌して固定して流通させたり、保管したりして、設置直前に、つまみ１７から引き抜いて分解し、ワイヤクランプ１のその他の部分、即ち、ボディ２、つまみ１７を含めたスリーブ４、係止部材５及びスプリング８を天板２２に固定した後、再び、つまみ１７に外嵌して固定するようにして、流通段階での紛失を防止するようにしているが、このことは、鞘体２７とワイヤチャック１のその他の部分とを別々に流通させたり、保管したりすることを妨げることではない。又、分解した鞘体２７を再び組付けずにおくことが禁じられることもない。
【００６８】
この鞘体２７は、例えば線径０．５ｍｍ程度の細鋼線を螺旋状に巻回した弾性筒体２８と、これの下端に内嵌して、例えばろう付けにより固定された例えば銅管からなる塑性変形可能なチューブ２９とからなり、この弾性筒体２８の上端部をつまみ１７に下方から押し込んで外嵌することにより固定した後、前記チューブ２９を加締めてワイヤ７に固定する。
【００６９】
なお、このように細鋼線からなる弾性筒体２８と銅管からなるチューブ２９とからなる鞘体２７は、前記特許文献１に記載されているストッパ部材のように複雑な機械加工をする必要がなく、又、材料使用量が少ないので、各段に廉価にできるのである。
【００７０】
さて、このように構成された抜き通し型ワイヤチャック１によれば、前述したように、予め天板２２に固定されたワイヤチャック１が設計された高さよりも高く位置する場合には、一方の手でワイヤ７を緊張させ、他方の手で天板２２を支えながら前記つまみ１７を引下げた状態で天板２２を設計高さまで下げて前記つまみ１７を放すという、極めて簡単な手順で、短時間に、かつ正確に天板２２の高さ調整ができる結果、工期を短縮することができる。
【００７１】
又、このワイヤチャック１によれば、実質的にはスリーブ４の形状を変更しただけの簡単な構成で、コストアップすることなく極めて経済的に実施できる。
【００７２】
更に、鞘体２７を付加し、この鞘体２７のチューブ２９をワイヤ７に加締付けることにより、ワイヤ７に対するスリーブ４及び係止部材５の位置を弾性的に保持することができるので、地震などの振動に伴う衝撃を緩衝してワイヤ７が切断されることを防止できる上、地震などの振動により一時的にワイヤチャック１のチャック機能が緩んだり、解消されたりすることがあっても、振動が沈静して前記スプリング８によりチャック機能が回復される時にはボディ２及び灯具（天板２２）を元の高さに支持することができるので、ワイヤチャック１及び灯具の位置がずれたり、ワイヤチャック１及び灯具がワイヤ７から抜け落ちたりするおそれはなくなるのである。
【００７３】
図２は、本発明の他の実施例に係る抜き通し型ワイヤチャックの縦断側面図である。
この図２に示す実施例では、抜き通し型ワイヤチャック１において、ボディ２の頭部１０が脚部９の上端に連設され、前記天板２２の上側から脚部９を取付け孔２３に挿通し、この脚部９の下側からナット２４を螺定してワイヤチャック１を天板に固定し得るように構成されている。
【００７４】
この実施例のその他の構成、作用ないし効果は前記本発明の一実施例のそれらと同様であるので、重複説明を避けるため省略する。
【００７５】
図３は、本発明の又他の実施例に係る抜き通し型ワイヤチャックの縦断側面図であり、このワイヤチャック１は、前例の鞘体２７に代えて、袋ナット３０を用いて振動によるワイヤチャックの位置ずれや脱落を防止し得るように構成されている。
【００７６】
即ち、前記ボディ２の頭部１０の下面に中空の固定用ネジ軸３１を突設し、前記スリーブ４の小径軸部１６をこのネジ軸３１の下方まで延出されている。この小径軸部１６の下端にはつまみ１７が連設され、このつまみ１７を収納できる袋ナット３０が前記ネジ軸３１に螺合し得るように構成されている。
【００７７】
この実施例のボディ２は前記本発明の一実施例と同様にして天板２２に固定され、ボディ２、スリーブ４、係止部材５及びスプリング８を前記本発明の一実施例と同様にワイヤ７の所定の高さに固定した後、この袋ナット３０をボディ２の前記ネジ軸３１に螺合して締め込むことにより、つまみ１７及びスリーブ４を介して前記係止部材５が前記異径部６及びワイヤ７に押圧される位置に固定し得るように構成されている。
【００７８】
このように構成することにより、ボディ２、スリーブ４及び係止部材５のワイヤ７に対する位置が固定されることになり、振動によってワイヤチャック１が位置ずれしたり、ワイヤ７から脱落したりすることを確実に防止できるのである。
【００７９】
なお、この袋ナット３０は公知の方法により緩解を防止することが好ましく、この実施例では、袋ナット３０のネジ孔３２の底面３３と前記つまみ１７との間にバネ座金３４を挿入することにより袋ナット３０の緩解を防止している。
【００８０】
又、この袋ナット３０にはワイヤ７を挿通させるワイヤ挿通孔３５が形成されているが、天板２２の位置調整後、つまみ１７の下方に垂れ下る余分なワイヤ７を切除する場合には、このワイヤ挿通孔３５を無くして壁状とし、この壁を当該ワイヤ７の先端面が当たるストッパ部としても良いのである。
【００８１】
更に、この実施例では、袋ナット３０をボディ２にネジ止めし得るように構成しているが、ボディ２のネジ軸３１に代えて、例えば周溝を有する延長軸を頭部１０の下側に連出し、袋ナット３０に代えて、内周面にこの周溝に対応する突条が形成され、上に開放された穴を有するキャップを前記延長軸に嵌脱させるようにすることも可能である。
この場合、ワイヤ７の太さの種類に対応するには、軸方向に複数の周溝を形成しておけばよいのである。
【００８２】
この実施例のその他の構成、作用ないし効果は前記本発明の一実施例のそれらと同様であるので、重複説明を避けるため省略する。
【００８３】
図４は、本発明の更に他の実施例に係る抜き通し型ワイヤチャックの縦断側面図であり、この図４に示す実施例では、抜き通し型ワイヤチャック１において、スリーブ４が小径軸部１６の下端から同軸心状に下方に延出された延長軸部３６と、この延長軸部３６の下端に連設された抜止部３７とを備え、ワイヤ挿通孔１８は大径軸部１４の上端からこの抜止部３７の下端まで貫通するように形成される。
【００８４】
前記延長軸部３６は小径軸部１６よりも更に小径に形成され、この延長軸部３６と小径軸部１６との境に形成される第２の段付面３８と抜止部３７との間の延長軸部３６に回転自在に、かつ摺動可能に外嵌された袋ナットでつまみ１７が構成される。
【００８５】
この実施例のボディ２は前例、即ち、図３に示した本発明の又他の実施例におけるそれと同様に構成され、該ボディ２のネジ軸３１につまみ１７のネジ穴３２が螺合できるように構成している。
【００８６】
前記つまみ１７をネジ軸３１から螺解すると、前記各実施例と同様に、天板２２を支持している手の指でつまみ７を引っ張ってチャック機能を解除し、天板２２の位置を下方調整することができる。
【００８７】
ワイヤ７に対して天板２２の高さを調整した後、つまみ１７を前記ネジ軸３１に螺合し、つまみ１７のネジ穴３２の底面３３が前記スリーブ４の第２の段付面３８に受止められるまでつまみ１７を締め込むと、該スリーブ及び前記係止部材５が前記ボディ２に固定され、チャック機能が確保される。
【００８８】
この実施例のその他の構成、作用ないし効果は、前記本発明の又他の実施例のそれと同様であるので、重複説明を避けるため省略する。
【００８９】
図５は、本発明の又更に他の実施例に係る抜き通し型ワイヤチャックの縦断側面図であり、この実施例のボディ２は前２例、即ち、本発明の又他の実施例及び更に他の実施例のそれと同様に構成されている。
【００９０】
この抜き通し型ワイヤチャック１において、スリーブ４の小径軸部１６はボディ２の下方に大きく延長され、ボディ２の下側で該小径軸部１６にストッパ３９が外嵌される。
【００９１】
この場合、つまみ１７はこのストッパ３９よりも更に低い前記小径軸部１６の下端に連設され、このつまみ１７と前記ストッパ３９との間で摺動可能に、かつ回転自在に、前記ボディ２のネジ軸３１に螺合される袋ナット３０が外嵌されている。
【００９２】
前記袋ナット３０をネジ軸３１から螺解すると、前記各実施例と同様に、天板２２を支持している手の指でつまみ１７と袋ナット３０との一方又は両方を引っ張ってチャック機能を解除し、天板２２の位置を下方調整することができる。
【００９３】
そして、ワイヤ７に対して天板２２の高さを調整した後、袋ナット３０を前記ネジ軸３１に螺合して、袋ナット３０のネジ穴３２の底面３３が前記ストッパ３９に受止められるまで袋ナット３０を締め込むと、前記スリーブ及び係止部材５が前記ボディ２に固定され、チャック機能が確保されるのである。
【００９４】
この実施例のその他の構成、作用ないし効果は、前記本発明の又他の実施例のそれらと同様であるので、重複説明を避けるため省略する。
【００９５】
図６は、本発明の以上の各実施例とは異なる実施例に係る抜き通し型ワイヤチャックの縦断側面図であり、この実施例では位置調整後の固定にボルト４０を用いている。
【００９６】
即ち、この場合、ボディ２内には大径部１１及びバネ受座１３の下側にネジ孔４１が形成され、スリーブ４の小径軸部１６に摺動可能に外嵌され、このネジ孔４１に螺合できるボルト４０が設けられている。
【００９７】
前記小径軸部１６にはストッパ３９が外嵌され、前記ボルト４０を前記ネジ孔４１から螺解した状態で天板２２の位置調整をした後、前記ボルト４０を前記ネジ孔４１に螺合し、前記ストッパ３９に受止められるまで締め込むと、ワイヤ７が係止部材５により締付けられている状態が確保されるように構成されている。
【００９８】
この実施例のその他の構成、作用ないし効果は前記本発明の又更に他の実施例のそれらと同様であるので、重複説明を避けるため省略する。
【００９９】
図７は、本第２発明の実施例に係る抜き通し型ワイヤクランプの縦断側面図であり、この実施例では前記各実施例のつまみ１７は設けられず、鞘体２７が直接にスリーブ４の小径軸部１６の下端部に外嵌して固定されている。
【０１００】
この鞘体２７は前記本発明の一実施例における鞘体２７と同様の弾性筒体２８とチューブ２９からなるものであり、ワイヤ７を挿通する前に前記スリーブ４に固定されている。
【０１０１】
なお、必要に応じて、この鞘体２７は、その上端部を例えばろう付けなどによりスリーブ４に固定することによりスリーブ４から離脱しないように構成されている。
【０１０２】
又、この場合、天板２２の位置の下方調整は、前記天板２２を支えている手の指でこの鞘体２７のチューブ２９をつまんで下方に引下げることは寸法上無理があるので、天板２２を支えている手の指で弾性筒体２８をつまんで下方に引下げながら行うことになる。
【０１０３】
この実施例のその他の構成、作用ないし効果は、図６に示された実施例のそれらと同様である。
【０１０４】
以上の説明ではワイヤチャック１が灯具の懸垂支持に用いられているが、このワイヤチャック１の用途は、これに限定されるものではなく、灯具以外の他物、例えば天井板、配管、配線、棚などの懸垂支持、ワイヤの継足し、ワイヤの緊張などにも広く利用することができる。
【図面の簡単な説明】
【０１０５】
【図１】図１は、本発明に係る実施例の抜き通し型ワイヤチャックを示す縦断側面図である。
【図２】図２は、本発明に係る実施例の他の抜き通し型ワイヤチャックを示す縦断側面図である。
【図３】図３は本発明に係る実施例の又他の抜き通し型ワイヤチャックを示す縦断側面図である。
【図４】図４は、本発明に係る実施例の更に又他の抜き通し型ワイヤチャックを示す縦断側面図である。
【図５】図５は、本発明に係る実施例の又他の抜き通し型ワイヤチャックを示す縦断側面図である。
【図６】図６は、本発明に係る実施例の又他の抜き通し型ワイヤチャックを示す縦断側面図である。
【図７】図７は、本第２発明に係る実施例の抜き通し型ワイヤチャックを示す縦断側面図である。
【符号の説明】
【０１０６】
１  ワイヤチャック
２  ボディ
３  異径孔
４  スリーブ
５  係止部材
６  異径部
７  ワイヤ
８  スプリング
１１  大径部
１７  つまみ
１９  外周面
２７  鞘体
２８  弾性筒体
２９  チューブ
３０  袋ナット
４０  ボルト
【図１】
2005118084.tif 000003
【図２】
2005118084.tif 000004
【図３】
2005118084.tif 000005
【図４】
2005118084.tif 000006
【図５】
2005118084.tif 000007
【図６】
2005118084.tif 000008
【図７】
2005118084.tif 000009